【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
第１の通信装置と第２の通信装置とを有する通信システムであって、
前記第１の通信装置は、
前記第１の通信装置と前記第２の通信装置との無線通信に用いられる予め定められた第１の無線設定情報を記憶する第１の記憶手段と、
前記第１の記憶手段で記憶した第１の無線設定情報を用いて無線設定を行う設定手段と、
前記無線通信における固有の識別情報を含む情報を生成する生成手段と、
前記生成手段で生成された情報を含む信号を送信する送信手段と、を備え、
前記第２の通信装置は、
前記送信手段から送信された信号を受信する受信手段と、
前記受信手段で受信した信号から前記生成手段で生成された情報に含まれる前記固有の識別情報を抽出する抽出手段と、
前記第１の通信装置と前記第２の通信装置との無線通信に用いられる予め定められた第２の無線設定情報を記憶する第２の記憶手段と、
前記抽出手段で抽出された固有の識別情報と前記第２の記憶手段で記憶した第２の無線設定情報とを用いて前記第１の通信装置との無線通信の接続を確立するネットワーク制御手段と、
を備えることを特徴とする無線通信システム。
【請求項２】
前記ネットワーク制御手段は、
無線設定情報が前記第２の無線設定情報と異なる値に設定されている場合、前記無線設定情報を前記第２の無線設定情報に設定変更する、
ことを特徴とする請求項１に記載の無線通信システム。
【請求項３】
前記設定手段は、
無線設定情報が前記第１の無線設定情報と異なる値に設定されている場合、前記無線設定情報を前記第１の無線設定情報に設定変更する、
ことを特徴とする請求項１又は２に記載の無線通信システム。
【請求項４】
前記第１の記憶手段は、前記第２の無線設定情報との無線通信における共通情報として予め設定され、無線の通信モード、認証方式、暗号方式、無線の通信プロトコル及び無線のＩＰ（Ｉｎｔｅｒｎｅｔ Ｐｒｏｔｏｃｏｌ）アドレスを含んだ第１の無線設定情報を記憶し、
前記第２の記憶手段は、
前記第１の無線設定情報に対応する無線の通信モード、認証方式、暗号方式、無線の通信プロトコル及び無線のＩＰアドレスを含んだ前記第２の無線設定情報を記憶する、
ことを特徴とする請求項１〜３のいずれか一項に記載の無線通信システム。
【請求項５】
前記第１の記憶手段及び前記第２の記憶手段は、
前記無線の通信モードとして、アクセスポイントを介さずに無線通信を行うアドホックモードまたはアクセスポイントを介して無線通信を行うインフラストラクチャモードのいずれかを設定する、
ことを特徴とする請求項４に記載の無線通信システム。
【請求項６】
前記第１の記憶手段及び前記第２の記憶手段は、
前記無線のＩＰアドレスとして、無線のＩＰｖ４（Ｉｎｔｅｒｎｅｔ Ｐｒｏｔｏｃｏｌ ｖｅｒｓｉｏｎ４）アドレスと無線のＩＰｖ４サブネットマスクアドレスを設定する、
ことを特徴とする請求項４又は５に記載の無線通信システム。
【請求項７】
前記第１の記憶手段及び前記第２の記憶手段は、
前記無線のＩＰアドレスとして、無線のＩＰｖ６（Ｉｎｔｅｒｎｅｔ Ｐｒｏｔｏｃｏｌ ｖｅｒｓｉｏｎ６）アドレスと無線のＩＰｖ６アドレスプレフィックスとを設定する、
ことを特徴とする請求項４又は５に記載の無線通信システム。
【請求項８】
前記第１の記憶手段及び前記第２の記憶手段は、
更に、周波数チャンネル及び伝送規格の少なくともいずれかを含んだ前記第１の無線設定情報及び前記第２の無線設定情報を記憶する、
ことを特徴とする請求項４〜７のいずれか一項に記載の無線通信システム。
【請求項９】
前記第１の記憶手段及び前記第２の記憶手段は、
周波数チャンネルに予め定められた値を設定する、又は走査して得られたユーザ指定の周波数チャンネルの値を設定する、
ことを特徴とする請求項８に記載の無線通信システム。
【請求項１０】
前記無線通信における固有の識別情報は、
前記第１の通信装置に関する固有の識別情報である、
ことを特徴とする請求項１〜９のいずれか一項に記載の無線通信システム。
【請求項１１】
前記第１の通信装置に関する固有の識別情報は、
前記無線通信におけるＭＡＣアドレス、前記ＭＡＣアドレスの値を変換した識別情報、前記第１の通信装置の製造番号、前記第１の通信装置の製造番号の値を変換した値、乱数の少なくともいずれかである、
ことを特徴とする請求項１０に記載の無線通信システム。
【請求項１２】
前記生成手段は、
ユーザ操作により取得した情報、前記無線設定情報を識別するための情報、前記第１の通信装置の装置名の少なくともいずれかの値を含んだ情報を生成する、
ことを特徴とする請求項１〜１１のいずれか一項に記載の無線通信システム。
【請求項１３】
前記第１の通信装置の装置名には、
前記第１の通信装置の装置名の初期値が含まれ、該初期値は前記第１の通信装置毎に異なる値に予め設定されている、
ことを特徴とする請求項１２に記載の無線通信システム。
【請求項１４】
前記送信手段は、前記生成手段で生成された情報の文字列を暗号化し、
前記受信手段は、前記生成手段で生成された情報の文字列を復号する、
ことを特徴とする請求項１〜１３のいずれか一項に記載の無線通信システム。
【請求項１５】
前記第１の通信装置は、
前記無線の通信プロトコルがＩＰｖ４又はＩＰｖ６の場合、すでに同一のＩＰｖ４アドレス又はＩＰｖ６アドレスが、他の通信装置から送信された信号の情報中に存在するかを検出し、検出の結果、存在すると判定した場合、前記無線通信の接続を確立できないことを通知する、
ことを特徴とする請求項６又は７に記載の無線通信システム。
【請求項１６】
前記第２の通信装置に対して、第１の通信装置の候補が複数存在する場合、
前記第１の通信装置は、
複数の前記第１の通信装置から一の第１の通信装置を選択するための選択情報を表示する第１の表示手段を有する、
ことを特徴とする請求項１〜１５のいずれか一項に記載の無線通信システム。
【請求項１７】
前記第１の表示手段は、
前記第１の通信装置の選択情報として、前記生成された情報に設定された情報の全部又は一部を表示する、
ことを特徴とする請求項１６に記載の無線通信システム。
【請求項１８】
前記第２の通信装置は、
前記情報に含まれる前記固有の識別情報の全部又は一部を表示する第２の表示手段を有する、
ことを特徴とする請求項１〜１７のいずれか一項に記載の無線通信システム。
【請求項１９】
前記第２の表示手段は、
リスト形式に複数の前記固有の識別情報を表示する、
ことを特徴とする請求項１８に記載の無線通信システム。
【請求項２０】
前記無線通信の接続を確立後、前記第２の通信装置が切り替えられた場合、
前記切り替え後新たに第２の通信装置の前記受信手段は、前記固有の識別情報により識別される第１の通信装置から送信された信号を受信し、
前記抽出手段は、前記受信手段で受信した信号から前記生成手段で生成された情報に含まれる前記固有の識別情報を抽出し、
無線設定情報を、前記新たに第２の通信装置の第２の無線設定情報に設定変更する、
ことを特徴とする請求項１〜１９のいずれか一項に記載の無線通信システム。
【請求項２１】
前記確立された無線通信の接続を切断する場合、
前記ネットワーク制御手段は、無線設定情報を設定変更前の無線設定情報に再設定する、
ことを特徴とすることを特徴とする請求項１〜２０のいずれか一項に記載の無線通信システム。
【請求項２２】
第１の通信装置と第２の通信装置とが無線通信するための無線通信方法であって、
前記第１の通信装置と前記第２の通信装置との無線通信に用いられる予め定められた第１の無線設定情報を記憶する第１の記憶手順と、
前記第１の記憶手順で記憶した第１の無線設定情報を用いて無線設定を行う設定手順と、
前記無線通信における固有の識別情報を含む情報を生成する生成手順と、
前記生成手順で生成された情報を含む信号を送信する送信手順と、を備え、
前記第２の通信装置は、
前記送信手順で送信された信号を受信する受信手順と、
前記受信手順で受信した信号から前記生成手順で生成された情報に含まれる前記固有の識別情報を抽出する抽出手順と、
前記第１の通信装置と前記第２の通信装置との無線通信に用いられる予め定められた第２の無線設定情報を記憶する第２の記憶手順と、
前記抽出手順で抽出された固有の識別情報と前記第２の記憶手順で記憶した第２の無線設定情報とを用いて前記第１の通信装置との無線通信の接続を確立するネットワーク制御手順と、
を含むことを特徴とする無線通信方法。
【請求項２３】
第２の通信装置と無線通信することが可能な第１の通信装置であって、
前記第１の通信装置と前記第２の通信装置との無線通信に用いられる予め定められた第１の無線設定情報を記憶する第１の記憶手段と、
前記第１の記憶手段で記憶した第１の無線設定情報を用いて無線設定を行う設定手段と、
前記無線通信における固有の識別情報を含む情報を生成する生成手段と、
前記生成手段で生成された情報を含む信号を送信する送信手段と、を備え、
前記第２の通信装置に、前記信号中の前記情報に含まれる固有の識別情報と第２の記憶手段で記憶した第２の無線設定情報とを用いて前記第１の通信装置との無線通信の接続を確立させる、
ことを特徴とする第１の通信装置。